(57)【特許請求の範囲】
【請求項１】
断熱壁から成る本体内に上下に渡って立設され、前面に棚ブラケットの係合孔を有する棚支柱と、該棚支柱の後面を閉塞するよう当該棚支柱に取り付けられた取付具と、該取付具に取り付けられ、前記本体の内側に間隔を存して配置された背面板とを備え、該背面板の前方に陳列室を構成し、前記背面板と前記本体間には冷気ダクトを構成して成るショーケースにおいて、
前記棚支柱は所定の屈曲形状を呈すると共に、前記取付具は前記棚支柱の屈曲形状に沿って折曲された上下に渡る一連の部材にて構成され、前記棚支柱の上端を閉塞する折曲片を備えていることを特徴とするショーケース。
【請求項２】
前記棚支柱は上部に形成された垂直部と、該垂直部の下端から斜め前方に屈曲された傾斜部とを備えることを特徴とする請求項１のショーケース。
【発明の詳細な説明】
【０００１】
【発明の属する技術分野】
本発明は、本体内に棚支柱と、該棚支柱に取り付けられた取付具と、該取付具に取り付けられ、前記本体の内側に間隔を存して配置された背面板とを備えたショーケースに関するものである。
【０００２】
【従来の技術】
従来の低温ショーケースは、断熱壁にて本体が構成されており、本体内には、前面に開口する陳列室が構成されている。該本体の背面には、断熱壁と所定間隔を存して棚支柱が上下に渡って複数、例えば３本設けられる。そして、該棚支柱間に背面板を固定することにより、断熱壁と背面板間に冷気ダクトが構成される。
【０００３】
冷気ダクト内には、陳列室内を所定温度に冷却するための冷却装置として冷却器が設けられると共に、陳列室内の冷気を冷気ダクト内に吸い込むための冷却器用送風機が設けられている。
【０００４】
また、前記棚支柱は、上部から下部に渡って、後方から前方に傾斜して形成されているものであり、該棚支柱に左右一対のブラケットを介して複数の棚が上下に渡って所謂雛壇架設されている。
【０００５】
【発明が解決しようとする課題】
しかしながら、従来の棚支柱では、棚支柱上部における冷気ダクトの確保及び棚支柱下部における陳列スペースの確保のため、棚支柱上部及び棚支柱下部に垂直部を設ける必要があった。そのため、棚支柱は、棚支柱上部の垂直部を構成する部材と、棚支柱下部の垂直部を構成する部材と、前方に傾斜して形成される本体とを別々の部材にて構成していた。
【０００６】
そのため、棚支柱を構成する部材間に隙間が生じ、冷気ダクトを流通する冷気が係る隙間から漏出し、適切に冷気循環を行うことができない問題があった。また、部材点数が多いため、組立作業性が低下すると共に、コストの高騰を招く問題があった。
【０００７】
そこで、本発明は、従来の技術的課題を解決するために成されたものであり、棚支柱から冷気が漏出することを未然に回避することができると共に、組立作業性を向上することができるショーケースを提供することを目的とする。
【０００８】
【課題を解決するための手段】
本発明のショーケースは、断熱壁から成る本体内に上下に渡って立設され、前面に棚ブラケットの係合孔を有する棚支柱と、該棚支柱の後面を閉塞するよう当該棚支柱に取り付けられた取付具と、該取付具に取り付けられ、本体の内側に間隔を存して配置された背面板とを備え、該背面板の前方に陳列室を構成し、背面板と本体間には冷気ダクトを構成して成るものであって、棚支柱は所定の屈曲形状を呈すると共に、取付具は棚支柱の屈曲形状に沿って折曲された上下に渡る一連の部材にて構成され、棚支柱の上端を閉塞する折曲片を備えていることを特徴とする。
【０００９】
本発明によれば、断熱壁から成る本体内に上下に渡って立設され、前面に棚ブラケットの係合孔を有する棚支柱と、該棚支柱の後面を閉塞するように当該棚支柱に取り付けられた取付具と、該取付具に取り付けられ、本体の内側に間隔を存して配置された背面板とを備え、該背面板の前方に陳列室を構成し、背面板と本体間には冷気ダクトを構成して成るショーケースにおいて、棚支柱は所定の屈曲形状を呈すると共に、取付具は棚支柱の屈曲形状に沿って折曲された上下に渡る一連の部材にて構成されているので、棚支柱に形成された係合孔から冷気ダクトを流通する冷気が漏洩することを防止することができるようになる。
【００１０】
また、取付具は、棚支柱の所定の屈曲形状に沿って折曲された一連の部材にて構成されているので、取付具の取付作業性を向上させることができるようになると共に、部品点数の削減を行うことができるようになる。
【００１１】
更に、取付具は、棚支柱の後面を閉塞するように固定されるため、棚支柱の補強を行うことができるようになる。
【００１２】
更にまた、取付具は、棚支柱の上端を閉塞する折曲片を備えるので、棚支柱及び取付具間に上端から冷気が侵入することを防止することができる。
【００１３】
これにより、棚支柱に形成された係合孔から冷気が漏洩することをより一層防止することができるようになる。
【００１４】
請求項２のショーケースは、請求項１の発明に加えて、棚支柱は上部に形成された垂直部と、該垂直部の下端から斜め前方に屈曲された傾斜部とを備えることを特徴とする。
【００１５】
請求項２の発明によれば、請求項１の発明に加えて、棚支柱は上部に形成された垂直部と、該垂直部の下端から斜め前方に屈曲された傾斜部を備えるので、上下に複数架設される棚が、上方から下方に渡って後方から斜め前方に徐々に突出した所謂雛壇架設を行うことができるようになる。これにより、ショーケースの棚上の商品を効果的に陳列することができるようになる。
【００１６】
【発明の実施の形態】
以下、図面に基づき本発明の実施形態を詳述する。図１は本発明を適用した実施例としての低温ショーケースＲの縦断側面図を示している。実施例の低温ショーケースＲは、断面略コ字状の断熱壁１と、この断熱壁１の左右に取り付けられた図示しない側板とから本体２が構成されている。この本体２背部には、詳細は後述する少なくとも２つの支柱３、４及び背面板５が設けられており、該背面板５と断熱壁１前面との間には冷気ダクト７が形成される。
【００１７】
断熱壁１の底壁１Ａには所定間隔を存して底板としてのデックパン９が設けられており、これら背面板５及びデックパン９の内側には、陳列室８が形成されている。断熱壁１の前面開口１０の上縁にはハニカム材１１が取り付けられた吐出口１２が形成されており、この吐出口１２に対向して開口１０の下縁には吸込口１３が形成されており、これら吐出口１２及び吸込口１３はそれぞれ冷気ダクト７に連通している。
【００１８】
一方、断熱壁１の底壁１Ａ上にファンケース１５が設置されており、このファンケース１５には送風機１６が取り付けられている。背面板５後方の冷気ダクト７内には冷却装置の冷却器１７が縦設されており、送風機１６が運転されると冷却器１７と熱交換した冷気は冷気ダクト７内を上昇せられ、吐出口１２より吸込口１３に向かって吐出される。そして、吸込口１３から吸い込まれた冷気は再び送風機１６によって加速される。これによって、開口１０にはエアーカーテンが形成され、冷気エアーカーテンの一部が陳列室８内に循環されて陳列室は所定温度に冷却される。
【００１９】
また、断熱壁１の底壁１Ａの下方には、機械室１８が形成されており、この機械室１８内には前記冷却器１７と所謂冷媒サイクルを形成する図示しない凝縮器及び圧縮機等が設けられている。また、この凝縮器の後方には、凝縮器用送風機が取り付けられており、機械室１８前面に予め形成された図示しないグリルより吸気され、後方より廃熱が外部に排出される構成とされている。
【００２０】
尚、図１において、１９は陳列室８内を上方から照明する蛍光灯であり、２０は陳列室８前方及び断熱壁８上部前端に設けられた透光性の前面パネル２１を照明する蛍光灯である。また、２２は陳列室８上部後方において斜め下方に向けて取り付けられた庫内鏡であり、陳列室８上部に陳列された商品及び陳列室８内を映し出し、陳列効果を向上させるものである。
【００２１】
次に、図２乃至図７を参照して、前記支柱３、４及び背面板５について詳述する。図２は支柱３、４の斜視図、図３は支柱３の分解斜視図、図４は支柱４の分解斜視図、図５は背面板５の正面図、図６は背面板５の側面図、図７は支柱３、４及び背面板５の部分拡大断面図を示している。
【００２２】
支柱３は、図３に示す如く棚支柱２４及び取付具２６により構成される。この支柱３は、本体２の後方両側部、即ち、前記両側板の内面にそれぞれ一つずつ固定されるものである。棚支柱２４は、上下に延出された板厚が比較的厚い板状部材であり、後方に開口を有する断面略コ字状を呈している。
【００２３】
また、棚支柱２４の上端には、断熱壁１の背面に平行とされる垂直部２４Ａが形成されている。棚支柱２４上端から所定寸法下方には、後端に切欠２４Ｂが形成されており、該切欠２４Ｂが形成された箇所から下端に渡って斜め前方に向けて屈曲された傾斜面２４Ｃが形成されている。
【００２４】
また、この棚支柱２４の前面には、後述する棚ブラケット４５を保持するための係合孔２８が上下に渡って複数形成されている。棚支柱２４を本体２に取り付けた際に、中央側に位置する側面には、上下に複数の取付孔２９が形成されている。
【００２５】
取付具２６は、上下に延出された板厚が比較的薄い板状部材である。該取付具２６は、前記断熱壁１の背面に平行に形成される閉塞面２６Ａと、該閉塞面２６Ａの一側端、即ち、本体２に取り付けられた際に、中央側に位置する側端より前方に垂直に立設して形成される当接面２６Ｂと、該当接面２６Ｂの前端から中央側に向けて略直角に少許折曲された後、更に前方に垂直に折曲される保持面２６Ｆ（図７参照）と、保持面２６Ｆの前端が中央側に略直角に折曲して形成される取付面２６Ｃとから構成される。前記中央側とは、棚支柱２４にブラケット４５を介して棚４６を取り付ける際の棚４６から見た場合の中央側を意味する。
【００２６】
ここで、取付面２６Ｃは、棚支柱２４に取り付けられた際に、棚支柱２４の前面と略面一に形成されているものとする。また、取付面２６Ｃは、棚支柱２４に取り付けられた際に、棚支柱２４の切欠２４Ｂに対応する位置、即ち上部には、切欠２６Ｄが形成されている。また、棚支柱２４の下部には、切欠２６Ｅが形成されている。更に、当接面２６Ｂには、棚支柱２４に取り付けられた際に、取付孔２９と合致する取付孔３０が上下に渡って複数形成されている。取付面２６Ｃには、上下に渡って取付孔３１が複数形成されている。
【００２７】
このとき、棚支柱２４の後端は、該切欠２４Ｂが形成された箇所から切欠２６Ｅに対応する位置に渡って徐々に幅広に形成されている。これにより、棚支柱２４後端下部には、垂直部２４Ｄが形成される。
【００２８】
また更に、取付具２６の閉塞面２６Ａの上端には、前方に向かって略直角に折曲された折曲片３２が形成される。この折曲片３２は、冷気が支柱２４内に侵入しないように形成されている。
【００２９】
以上の構成により、棚支柱２４及び取付具２６により支柱３を組み立てる際には、先ず、棚支柱２４の後部開口を取付具２６の閉塞面２６Ａにて閉塞するように棚支柱２４の後方から取付具２６を宛う。このとき、取付具２６は図３の右方に示される如く垂直に形成されているため、棚支柱２４への取付時において、手などにより、切欠２６Ｄ及び切欠２６Ｅが形成された箇所に対応する位置の閉塞面２６Ａを棚支柱２４の垂直部２４Ａ、傾斜面２４Ｃ及び垂直部２４Ｄに沿って、図３の中央に示す如く折曲する。
【００３０】
そして、棚支柱２４の側面に、取付具２６の当接面２６Ｂを当接した後、図７に示されるネジ３３にて、棚支柱２４の取付孔２９と取付具２６の取付孔３０をネジ止め固定する。このとき、棚支柱２４の上面開口は、取付具２６の折曲片３２にて閉塞される。
【００３１】
一方、支柱４は、図４に示す如く棚支柱２５及び取付具２７により構成される。この支柱４は、本体２の後方中央部に固定されるものである。棚支柱２５は、上下に延出された板厚が比較的厚い板状部材であり、前記棚支柱２４よりも幅広に形成されると共に、同様に後方に開口を有する断面略コ字状を呈している。
【００３２】
また、棚支柱２５の上端には、断熱壁１の背面に平行とされる垂直部２５Ａが形成されている。棚支柱２５上端から所定寸法下方には、後端に切欠２５Ｂが形成されており、該切欠２５Ｂが形成された箇所から下端に渡って斜め前方に向けて屈曲された傾斜面２５Ｃが形成されている。
【００３３】
また、この棚支柱２５の前面には、後述する棚ブラケット４５を保持するための係合孔３４が左右に２つずつ上下に渡って複数形成されている。棚支柱２５の両側面には、上下に複数の取付孔３５が形成されている。
【００３４】
取付具２７は、前記取付具２６と同様に上下に延出された板厚が比較的薄い板状部材である。該取付具２７は、前記断熱壁１の背面に平行に形成される閉塞面２７Ａと、該閉塞面２７Ａの両端が前方に垂直に立設して形成される当接面２７Ｂと、該当接面２７Ｂの前端から閉塞面２７Ａの外側に向けて略直角に少許折曲された後、更に前方に垂直に折曲される保持面２７Ｆ（図７参照）と、保持面２７Ｆの前端が側方に略直角に折曲して形成される取付面２７Ｃとから構成される。
【００３５】
ここで、取付面２７Ｃは、棚支柱２５に取り付けられた際に、棚支柱２５の前面と略面一に形成されているものとする。また、取付面２７Ｃは、棚支柱２５に取り付けられた際に、棚支柱２５の切欠２５Ｂに対応する位置、即ち、上部には切欠２７Ｄが形成されている。棚支柱２５の下部には、切欠２７Ｅが形成されている。更に、当接面２７Ｂには、棚支柱２５に取り付けられた際に、取付孔３５と合致する取付孔３６が上下に渡って複数形成されている。取付面２７Ｃには、上下に渡って取付孔３７が複数形成されている。
【００３６】
このとき、棚支柱２５の後端は、該切欠２５Ｂが形成された箇所から切欠２７Ｅに対応する位置に渡って徐々に幅広に形成されている。これにより、棚支柱２５後端下部には、垂直部２５Ｄが形成される。
【００３７】
また更に、取付具２７の閉塞面２７Ａの上端には、前方に向かって略直角に折曲された折曲片３８が形成される。この折曲片３８は、冷気が支柱内に侵入しないように形成されている。
【００３８】
以上の構成により、棚支柱２５及び取付具２７により支柱４を組み立てる際には、先ず、棚支柱２５の後部開口を取付具２７の閉塞面２７Ａにて閉塞するように棚支柱２５の後方から取付具２７を宛う。このとき、取付具２７は図４の右方に示される如く垂直に形成されているため、棚支柱２５への取付時において、手などにより、切欠２７Ｄ及び切欠２７Ｅが形成された箇所に対応する位置の閉塞面２７Ａを棚支柱２５の垂直部２５Ａ、傾斜面２５Ｃ及び垂直部２５Ｄに沿って、図４の中央に示す如く折曲する。
【００３９】
そして、棚支柱２５の側面に、取付具２７の当接面２７Ｂを当接した後、図７に示されるネジ３９にて、棚支柱２５の取付孔３５と取付具２７の取付孔３６をネジ止め固定する。このとき、棚支柱２５の上面開口は、取付具２７の折曲片３８にて閉塞される。
【００４０】
次に、図５及び図６を参照して、前記背面板５について説明する。該背面板５は、支柱４の左右にそれぞれ一枚ずつ取り付けられる板厚が比較的厚い板状部材であり、両側端には、後方に略直角に折曲されたフランジ５Ｄが形成されている。また、背面板５は、それぞれ支柱３及び４の棚支柱２４及び２５の屈曲形状に沿って図６に示す如く上部垂直部５Ａと、傾斜面５Ｂ及び下部垂直部５Ｃが形成されている。そして、背面板５の両端には、取付具２６及び２７の取付孔３１及び３７に合致する取付孔４０が上下に渡って形成されている。尚、図中６は、背面板５の下端に取り付けられる保持部材である。
【００４１】
以上の構成により、先ず、組み立てられた支柱３を本体２の後方両側部、即ち、前記両側板の内面にそれぞれ一つずつ、上端及び下端を図示しない取付具により固定し、支柱４を本体２の後方中央部に上端及び下端を図示しない取付具により固定する。次いで、背面板５を支柱４の左右にそれぞれ１枚ずつ取り付ける。このとき、背面板５の側方に形成された一方のフランジ５Ｄを、支柱３の取付具２６に予め形成された保持面２６Ｆと棚支柱２４との間に挿入し、他方のフランジ５Ｄを支柱４の取付具２７に予め形成された保持面２７Ｆと棚支柱２５との間に挿入する。そして、背面板５の取付孔４０を支柱３及び４の取付孔３１及び３７と合致させ、陳列室８側からネジ４１にてネジ止めにより固定する。尚、図７において、４２はネジ４１の受け部材である。
【００４２】
以上より、支柱３及び４を構成する取付具２６及び２７は、それぞれ棚支柱２４及び２５の垂直部２４Ａ、２５Ａと、傾斜面２４Ｃ、２５Ｃと垂直部２４Ｄ、２５Ｄにより構成される屈曲形状に沿って、手などにより容易に折曲される上下に渡る一連の部材にて構成されているので、棚支柱２４及び２５の後面開口を確実に閉塞することができるようになる。これにより、棚支柱２４及び２５に形成された係合孔２８、３４から冷気ダクト７を流通する冷気が漏洩することを未然に回避することができるようになる。そのため、適切に庫内の冷気の循環を行うことができ、冷却効率を向上させることができるようになる。
【００４３】
また、取付具２６及び２７は、棚支柱２４及び２５の所定の屈曲形状に沿って折曲された一連の部材にて構成されているので、取付具２６及び２７の取付作業性を向上させることができるようになると共に、部品点数の削減を行うことができるようになる。
【００４４】
更に、取付具２６、２７は、棚支柱２４、２５の後面を閉塞するように固定されるため、棚支柱２４、２５の補強としても供することができるようになる。
【００４５】
更にまた、取付具２６、２７は、棚支柱２４、２５の上端を閉塞する折曲片３２、３８が形成されているため、棚支柱２４、２５及び取付具２６、２７間に上端から冷気が侵入することを防止することができ、棚支柱２４、２５に形成された係合孔２８、３４から冷気が漏洩することをより一層防止することができるようになる。
【００４６】
そして、上述の如く本体２に取り付けられた棚支柱２４、２５の係合孔２８、３４に左右一対ずつ左右一対の棚ブラケット４５、４５が上下に渡って複数段架設され、該棚ブラケット４５、４５に棚４６を架設する。このとき、棚支柱２４、２５は上部に形成された垂直部２４Ａ、２５Ａと、該垂直部２４Ａ、２５Ａの下端から斜め前方に屈曲された傾斜部２４Ｃ、２５Ｃを備えているため、上下に複数架設される棚４６を上方から下方に渡って後方から斜め前方に徐々に突出した所謂雛壇架設を行うことができるようになる。これにより、ショーケースＲの棚４６上の商品を効果的に陳列することができるようになる。
【００４７】
また、棚支柱２４、２５の上部には、垂直部２４Ａ、２５Ａが形成されているため、本体２上部における冷気ダクト７を十分に確保することができるようになる。更に、棚支柱２４、２５の下部においても、垂直部２４Ｄ、２５Ｄが形成されているため、デックパン９上の陳列面積を拡張することができるようになる。
【００４８】
【発明の効果】
以上詳説した如く、本発明によれば、断熱壁から成る本体内に上下に渡って立設され、前面に棚ブラケットの係合孔を有する棚支柱と、該棚支柱の後面を閉塞するように当該棚支柱に取り付けられた取付具と、該取付具に取り付けられ、本体の内側に間隔を存して配置された背面板とを備え、該背面板の前方に陳列室を構成し、背面板と本体間には冷気ダクトを構成して成るショーケースにおいて、棚支柱は所定の屈曲形状を呈すると共に、取付具は棚支柱の屈曲形状に沿って折曲された上下に渡る一連の部材にて構成されているので、棚支柱に形成された係合孔から冷気ダクトを流通する冷気が漏洩することを防止することができるようになる。
【００４９】
また、取付具は、棚支柱の所定の屈曲形状に沿って折曲された一連の部材にて構成されているので、取付具の取付作業性を向上させることができるようになると共に、部品点数の削減を行うことができるようになる。
【００５０】
更に、取付具は、棚支柱の後面を閉塞するように固定されるため、棚支柱の補強を行うことができるようになる。
【００５１】
更にまた、取付具は、棚支柱の上端を閉塞する折曲片を備えるので、棚支柱及び取付具間に上端から冷気が侵入することを防止することができる。これにより、棚支柱に形成された係合孔から冷気が漏洩することをより一層防止することができるようになる。
【００５２】
請求項２の発明によれば、請求項１の発明に加えて、棚支柱は上部に形成された垂直部と、該垂直部の下端から斜め前方に屈曲された傾斜部を備えるので、上下に複数架設される棚が、上方から下方に渡って後方から斜め前方に徐々に突出した所謂雛壇架設を行うことができるようになる。これにより、ショーケースの棚上の商品を効果的に陳列することができるようになる。
【図面の簡単な説明】
【図１】  本発明を適用した低温ショーケースの縦断側面図である。
【図２】  支柱の斜視図である。
【図３】  支柱の分解斜視図である。
【図４】  同じく支柱の分解斜視図である。
【図５】  背面板の正面図である。
【図６】  背面板の側面図である。
【図７】  支柱及び背面板の部分拡大断面図である。
【符号の説明】
Ｒ  低温ショーケース
１  断熱壁
２  本体
３、４  支柱
５  背面板
５Ａ  上部垂直部
５Ｂ  傾斜面
５Ｃ  下部垂直部
５Ｄ  フランジ
７  冷気ダクト
８  陳列室
９  デックパン
１０  前面開口
１６  送風機
１７  冷却器
２２  庫内鏡
２４、２５  棚支柱
２４Ａ、２４Ｄ、２５Ａ、２５Ｄ  垂直部
２４Ｂ、２５Ｂ  切欠
２４Ｃ、２５Ｃ  傾斜面
２６、２７  取付具
２６Ａ、２７Ａ  閉塞面
２６Ｂ、２７Ｂ  当接面
２６Ｃ、２７Ｃ  取付面
２６Ｄ、２６Ｅ、２７Ｄ、２７Ｅ  切欠
２６Ｆ、２７Ｆ  保持面
２８、３４  係合孔
２９、３０、３１、３５、３６、３７  取付孔
３２、３８  折曲片
３３、３９  ネジ
４５  棚ブラケット
４６  棚
【図１】
0004179757.tif 000002
【図２】
0004179757.tif 000003
【図３】
0004179757.tif 000004
【図４】
0004179757.tif 000005
【図５】
0004179757.tif 000006
【図６】
0004179757.tif 000007
【図７】
0004179757.tif 000008